(57)【特許請求の範囲】
【請求項１】
住棟内に設置された住戸インターホンと、外部のネットワーク上のコンテンツサーバとを接続制御する機能を有した通信ネットワーク対応型集合住宅用インターホンシステムにおいて、
前記住戸インターホンは、インターホン回線に接続するための第１の接続端子と、Webサーバを内蔵し、住戸の電力使用量を含んだ電力モニタ画面を生成する構成とされた計測装置に接続するための第２の接続端子と、
前記計測装置に対しては、前記第２の接続端子を通じて前記計測装置で生成された電力使用モニタ画面をダウンロードして表示する一方、前記コンテンツサーバに対しては、前記第１の接続端子に接続されたインターホン回線と、ゲートウェイとして構成されたシステム制御装置とを通じて前記コンテンツサーバで提供されるエネルギー情報画面をダウンロードして表示するWebブラウザとを備えている、通信ネットワーク対応型集合住宅用インターホンシステム。
【請求項２】
請求項１に記載の通信ネットワーク対応型集合住宅用インターホンシステムにおいて、
前記計測装置が計測した電力使用量は、前記第１の接続端子に接続されたインターホン回線と、ゲートウェイとして構成されたシステム制御装置とを通じて前記コンテンツサーバ装置に通知されて、所定のデータベースに蓄積保存される、通信ネットワーク対応型集合住宅用インターホンシステム。
【請求項３】
請求項１又は２に記載の通信ネットワーク対応型集合住宅用インターホンシステムにおいて、
前記コンテンツサーバは、エネルギー消費に関するアドバイスを含めたエネルギー情報画面を提供する、通信ネットワーク対応型集合住宅用インターホンシステム。
【発明の詳細な説明】
【技術分野】
【０００１】
本発明は、住戸インターホンとインターネットなどの通信ネットワーク上のサービスサーバとの通信接続を制御する機能を有した集合住宅用インターホンシステムに関する。
【背景技術】
【０００２】
現在、住戸の設備機器を制御するためのホームオートメーションシステムが複数提供されているが、その中には例えば非特許文献１に記載されているように、現在の電力使用量などの各種情報をパネル表示するものもある。
【０００３】
非特許文献１に記載のシステムは、ＨＡ端子などを設けた制御盤に、電力計測機能を有した分電盤と、表示操作パネルとが接続された基本構成で、制御盤は通信プロバイダーを介してインターネット上のサービスサーバにも接続されている。このサービスサーバは、エネルギー消費を抑えるためのアドバイスなどを提供する他、電力使用量を長期間蓄積するためにも使用できるようになっている。
【先行技術文献】
【非特許文献】
【０００４】
【非特許文献１】http://denko.panasonic.biz/Ebox/kahs_eco/index.html
【発明の概要】
【発明が解決しようとする課題】
【０００５】
また集合住宅においても、住戸の電力使用量を抑えたいという要望がある。しかしその解決として集合住宅の各住戸に非特許文献１に記載のシステムを導入するとなると、住棟全体に、インターネット接続用のLANを別途敷設することが必要になるためコスト高になる。また昨今、集合住宅においても高速なインターネット環境が強く求められる傾向があるが、住棟全体にLANを敷設して共同で使用するシステムでは、充分な速度が得られずに、住戸人の不評を買うおそれもあった。
【０００６】
本発明は、そのような問題の解決を解決することを目的としており、住棟にLANを別途敷設することなしに、住戸の電力使用量やエネルギーに関するアドバイスなどを住戸インターホンに表示できるようにした集合住宅用インターホンシステムを以下に提案する。
【課題を解決するための手段】
【０００７】
本発明は、住棟内に設置された住戸インターホンと、外部のネットワーク上のコンテンツサーバとを接続制御する機能を有した通信ネットワーク対応型集合住宅用インターホンシステムにおいて、前記住戸インターホンは、インターホン回線に接続するための第１の接続端子と、Webサーバを内蔵し、住戸の電力使用量を含んだ電力モニタ画面を生成する構成とされた計測装置に接続するための第２の接続端子と、前記計測装置に対しては、前記第２の接続端子を通じて前記計測装置で生成された電力使用モニタ画面をダウンロードして表示する一方、前記コンテンツサーバに対しては、前記第１の接続端子に接続されたインターホン回線と、ゲートウェイとして構成されたシステム制御装置とを通じて前記コンテンツサーバで提供されるエネルギー情報画面をダウンロードして表示するWebブラウザとを備えている。
【０００９】
前記計測装置が計測した電力使用量は、前記第１の接続端子に接続されたインターホン回線と、ゲートウェイとして構成されたシステム制御装置とを通じて前記コンテンツサーバ装置に通知されて、所定のデータベースに蓄積保存されるようにするとよい。
【００１０】
前記コンテンツサーバは、エネルギー消費に関するアドバイスを含めたエネルギー情報画面を提供するとよい。
【発明の効果】
【００１１】
本発明によれば、住戸インターホンは、インターホン回線に接続するための第１の接続端子と、計測装置に接続するための第２の接続端子とを備えている。そしてブラウザを作動して、計測装置から電力使用モニタ画面をダウンロードする一方、インターホン回線上のマンションＨＡ装置をゲートウェイとして、コンテンツサーバで提供されるエネルギー情報画面をダウンロードするようになっている。そのため、住棟にLANを別途敷設することなしに、住戸の電力使用量やエネルギーに関するアドバイスなどを住戸インターホンに表示できる。
【図面の簡単な説明】
【００１２】
【図１】本発明システムの要部をなす住戸インターホンを含んだ機能ブロック図である。
【図２】住戸インターホンの外観図である。
【図３】本発明システムの基本構成を示したブロック図である。
【図４】（ａ）はエネルギー情報画面の例、（ｂ）は電力モニタ画面の例である。
【図５】本発明システムにおける基本的な信号伝送を示したフロー図である。
【図６】住戸の電力使用量に関する信号伝送を示したフロー図である。
【発明を実施するための形態】
【００１３】
図１は、本発明システムが適用されたシステムの全体的な基本構成を示している。
図に示す集合住宅用インターホンシステム１は、住棟の各住戸に設置された住戸インターホン１１と、住棟ロビーに設置されたロビーインターホン１２と、システム制御装置１４とを備え、その他、後述するような装置を含んで構成されている。しかしながら本発明が適用可能なインターホンシステム１は、ロビーインターホン１２から各住戸に設置された住戸インターホン１１を呼出し、通話制御を行う基本機能を少なくとも備えていればよい。
【００１４】
住戸インターホン１１は、いわゆるブラウズ機能を備えたWebブラウザ部１１ｈを内蔵した住宅情報盤として構成され、ドアホン１８やセキュリティセンサ１６などが接続されている。そしてインターホン回線１５に接続するための第１の接続端子１１ａと、後述する計測装置３などに接続するための第２の接続端子１１ｂとを備えている。これにより、住戸インターホン１１は、外部ネットワーク上のコンテンツサーバ２０などからホームページコンテンツなどをダウンロードして表示することができる。ここに、外部ネットワークは、利用者を一般公衆に開放しているインターネット２１が代表的ではあるが、加入者の制限された専用ネットワークであってもよい。なお外部ネットワークの替わりに住棟ネットワークを用いた構成にも本発明は適用でき、その場合には、後述するコンテンツサーバ２０はその住棟ネットワークに接続すればよい。
【００１５】
住戸インターホン１１は、図２に示すように、表示操作部を構成するタッチパネル１１ｃ、メニューキー１１ｄ、通話キー１１ｅや、通話部を形成するスピーカ１１ｆ、マイク１１ｇなどをさらに備えている。ここでメニューキー１１ｄの中で本発明に関連するキーには「エネルギー」の文字が表示されている。図例のものは、ハンズフリー通話を想定してハンドセットを設けていないが、ハンドセットを設けた構成であってもよい。
【００１６】
本発明の要部をなす住戸インターホン１１は、図３に示したように、第１の接続端子１１ａと第２の接続端子１１ｂとを備えており、第１の接続端子１１ａは、例えばツイストペアケーブルで構成されたインターホン回線１５に接続するための端子である。第２の接続端子１１ｂは、例えばＬＡＮケーブルなどの通信線１７に接続するための端子であり、第１の端子とは形状が異なることもある。住戸インターホン１１は、第２の接続端子１１ｂに接続された信号線１７によって、住戸の電力使用量を計測する計測装置３に接続している。なお、第２の接続端子１１ｂには、計測装置３だけでなく、住宅設備ＬＡＮなどに接続されて、照明器具や空調設備などの設備機器６を制御する設備コントローラ５などが接続されていてもよい。なお計測装置３は配電盤として構成され、電力会社の管理する電力メータ４に接続されている。
【００１７】
ロビーインターホン１２は、呼出し先の部屋番号を指定するための操作部や、通話部を構成するスピーカ、マイク（いずれも図示なし）などを備えている。
【００１８】
認証端末７は、例えばカードキーなどによって住戸人を認証するための操作端末で、ロビーインターホンと一体に、あるいは別体としてその近傍に設けられている。認証端末７が読み取ったカードキーの情報は、システム制御装置１４に接続された認証装置８によって認証され、ロビー扉や住戸扉の電気錠（図示なし）を解錠することができる。
【００１９】
警報監視盤（管理人室機）１３は、表示操作部を構成するタッチパネルや、通話部を構成するハンドセットや、異常報知手段を構成する警報ランプ、スピーカ（いずれも図示なし）などを備えている。
【００２０】
システム制御装置１４は、基本的には、住戸インターホン１１と、ロビーインターホン１２、警報監視盤１３との通信を制御する装置であるが、さらに、住戸インターホン１１と、インターネット２１に設置されたサーバ装置との通信制御を行うために、少なくともアドレス変換機能を有した、ゲートウェイ機能を備えている。
【００２１】
なおコンテンツサーバ２０は、電力使用に関する統計情報やアドバイスをコンテンツとしたエネルギー情報画面を提供するサーバ装置である。コンテンツは、各住戸についてのエネルギー情報を保存蓄積し、例えばエネルギー消費に関するアドバイスなどを含んだものとすればよい。そのようにすれば、住戸人はエコロジーに関する知識が手軽に得られるので、電力使用量の抑制を喚起させることができる。
【００２２】
次いで図３に従って、このシステムの装置構成を本発明に係る機能ブロックについて説明する。
【００２３】
住戸インターホン１１は、Webブラウザ部１１ｈと、ゲートウェイ部１１ｉとで構成されている。ゲートウェイ部１１ｉは第１の接続端子１１ａを備え、第１の接続端子１１ａはインターホン回線１５によってシステム制御装置１４に接続され、第２の接続端子１１ｂはＬＡＮケーブルなどの信号線１７によって計測装置３に接続され、それぞれのシステムにおいて通信端末として機能するため、システムに応じた通信アドレスが設定されている。
【００２４】
システム制御装置１４は、インターホン回線１５に接続する第１の接続端子１４ａと、インターネット２１に接続する第２の接続端子１４ｂと、ゲートウェイ部１４ｃとを備えている。そして、第１の接続端子側と、第２の接続端子側にそれぞれアドレスが設定されて、コンテンツサーバ２０とはインターネット２１を通じて、住戸インターホン１１とはインターホン回線１５を通じて通信する。
【００２５】
計測装置３は、住戸の現時点における電力使用量を計測する計測手段３ａと、住戸インターホン１１のWebブラウザ部１１ｈからのアクセスに応えるために、計測した電力使用量を含んだモニタ画面を提供するWebサーバ部３ｂとを備えている。
【００２６】
コンテンツサーバ２０は、エネルギー情報画面を生成して提供するWebサーバ部２０ａと、計測装置３から収集した各住戸の電力使用量を蓄積するデータベース２０ｂとを備えている。
【００２７】
次いでインターホンシステム１の基本動作を説明する。住戸インターホン１１とシステム制御装置１４は、インターホン回線１５によって相互に接続された住棟LANを構成しており、TCP/IPによる通信を行う。そのため住戸インターホン１１の第１の接続端子側のアドレスと、システム制御装置１４のアドレスは、共通のネットワークアドレス部を有している。なお、住戸インターホン１１とシステム制御装置１４との通信は、独自のプロトコルとしてもよいが、その場合は、プロトコル変換によって、TCP/IPによる通信ができるようにする。
【００２８】
同様に、住戸インターホン１１と計測装置３は住戸内LANを構成しており、TCP/IPによる通信を行う。したがって住戸インターホン１１と計測装置３のアドレスも、共通のネットワークアドレス部を有する。
【００２９】
また、システム制御装置１４とロビーインターホン１２あるいは警報監視盤１３とも、TCP/IPによる通信を行うようにすればよい。
【００３０】
このシステムにおけるインターホンの呼出通話制御の基本動作は従来システムと同様である。すなわちロビーインターホン１２で住戸番号を指定した呼出し操作がなされると、システム制御装置１４は、呼び出された住戸のアドレスを指定して、対応した住戸インターホン１１が呼び出される。呼び出された住戸インターホン１１で通話キー１１ｅが操作されると、システム制御装置１４は、ロビーインターホン１２とその住戸インターホン１１との間に排他的な音声チャンネルを構成して、訪問者と住戸人との通話を許可する。その後、通話キー１１ｅが再操作されたとき、あるいは所定時間が経過したときに、その音声チャンネルは開放される。なお、ロビーインターホン１２は複数であってもよく、その場合でも音声チャンネルは排他的に制御される。
【００３１】
さらにインターホンシステム１がテレビ式であれば、ロビーインターホン１２で呼出操作がなされてから通話チャンネルが解放されるまでの間、ロビーインターホン１２側に設けられたビデオカメラ（図示なし）と、呼出し先の住戸インターホン１１との間に排他的な映像チャンネルを構成する。このようにすれば、訪問者の映像を住戸インターホン１１でモニタしながら対応できる。
【００３２】
また、警報監視システムとしての基本機能や動作も従来システムと同様である。すなわち、住戸インターホン１１は、セキュリティセンサ１６が異常発生を検知すると、タッチパネル１１ｃに警報画面を表示するとともに、スピーカ１１ｆから警報メッセージを出力する。また、住戸インターホン１１は、その異常発生を警報監視盤１３に通知する。警報監視盤１３は、その通知を受信すると警報を出力し、管理人の操作に応じて、異常発生を通知してきた住戸インターホン１１や、その近隣の住戸インターホン１１から、避難メッセージなどを出力させる。また、防災センターなどに異常発生を移報することもできる。
【００３３】
次いで本発明システムにおける特徴的な機能動作、すなわちエネルギー情報画面および電力モニタ画面の表示に係る基本動作を説明する。これは要するに、住戸インターホン１１は、所定の操作を受け付けると、Webブラウザ部１１ｈを作動して、計測装置３で生成された電力モニタ画面をダウンロードして表示部に表示する。同様に、システム制御装置１４をゲートウェイとして、コンテンツサーバ２０で提供されるエネルギー情報画面をダウンロードして表示部に表示するものである。このようなシステムでは、住棟にLANを別途敷設することなしに、電力モニタ画面やエネルギー情報画面などを住戸インターホン１１に表示でき、コストが抑えられる。またエネルギー情報画面や電力モニタ画面をWebブラウザ部１１ｈによってダウンロードして表示する仕組みになっているので、従来よく知られたホームページ作成技術を利用してそれらの画面を容易に作成することができる。
【００３４】
エネルギー情報画面を表示させるには、例えば住戸インターホン１１のメニューキー１１ｄを操作すればよい。Webブラウザ部１１ｈには、コンテンツサーバ２０のアドレス（またはURL）と、計測装置３のアドレスが予め記憶されており、メニューキー１１ｄが操作されると、コンテンツサーバ２０への接続を開始する。これに対してゲートウェイ部１１ｉはWebブラウザ部１１ｈが出力した接続要求信号の送信先アドレス（インターネット上のグローバルIP）を判別して第１の接続端子側での通信を選択する。そのため接続要求信号はインターホン回線１５に出力され、インターホン回線１５のゲートウェイであるシステム制御装置１４に到達する。
【００３５】
システム制御装置１４のゲートウェイ部１４ｃは、接続要求信号の送信先アドレスを判別して、接続要求信号をインターネット２１に送出する。インターネット２１に送出された接続要求信号は、公知のルーティング技術によって複数のルータを経由して、コンテンツサーバ２０に到達する。コンテンツサーバ２０は、その接続要求信号に対する応答信号を出力するが、その応答信号は、先の接続要求信号とは逆の道筋で住戸インターホン１１まで伝送され、その結果、住戸インターホン１１とコンテンツサーバ２０との接続が確立する。その後、コンテンツサーバ２０は、住戸インターホン１１のWebブラウザ部１１ｈの要求に従って、エネルギー情報画面をダウンロードさせ、Webブラウザ部１１ｈの表示部、すなわちタッチパネル１１ｃに表示させる。このようにして表示されたエネルギー情報画面には、電力モニタ画面に表示切替させるためのリンクが含まれている。
【００３６】
このあと電力モニタ画面を表示させるには、そのリンクを操作すればよい。すると住戸インターホン１１は、計測装置３への接続を開始するための接続要求信号を送出する。ゲートウェイ部１１ｉは、住戸インターホン１１が出力した接続要求信号の送信先アドレス（住戸LAN上のローカルIP）を判別して第２の接続端子側での通信を選択する。これにより、その接続要求信号は計測装置３に伝送される。これに対して、計測装置３は応答信号を返信し、その応答信号を住戸インターホン１１が受信すると、住戸インターホン１１と計測装置３との接続が確立する。その後計測装置３は、Webブラウザ部１１ｈの要求に従って、電力モニタ画面の情報をダウンロードさせ、住戸インターホン１１のタッチパネル１１ｃにその画面を表示させる。
【００３７】
なお上記では、メニューキー１１ｄの操作によってエネルギー表示画面が表示され、そのあと画面上のリンク操作によって電力モニタ画面が表示されるようになっている。しかしながらエネルギー情報画面を表示させるためのメニューキー１１ｄと、電力モニタ画面を表示させるためのメニューキー１１ｄとを独立して設けてもよい。あるいは、メニューキー１１ｄの操作によって共通のトップ画面が表示されるようにし、その画面上にエネルギー情報画面に表示切替させるためのリンクと、電力モニタ画面に表示切替させるためのリンクとを配置してもよい。
【００３８】
また、計測装置３は住戸の電力使用量を定期的にコンテンツサーバ２０に通知するようになっており、コンテンツサーバ２０は、計測装置３から送信されてきた住戸の電力使用量をデータベースに記録する。このようにすれば計測装置３で電力使用量を記憶保持するための記憶容量が少なくて済むので、コストが抑えられる。計測装置３による通知は、たとえば所定時間毎に自発的に行うようにすればよい。これは計測装置３がインターネット２１側から見れば複数のゲートウェイの背後にあるため容易には接続できないことから、望ましい構成である。しかしもちろん、コンテンツサーバ２０が所定時間毎に計測装置３に接続して電力使用量の通知を要求するようにしても構わない。コンテンツサーバ２０は、計測装置３から通知された住戸の電力使用量の履歴を分析して、電力使用に関するコンテンツを生成する。
【００３９】
図４（ａ）は、電力使用に関するエネルギー情報画面の例である。ここでは、毎月の電力使用量変化がグラフ表示されている。その下には、エコロジーに関するアドバイスが表示され、さらにその下には、電力モニタ画面に表示切替させるためのリンクなど複数のリンクが表示されている。なお、エネルギー情報画面の内容に特段の制限はない。例えば、毎週の電力使用量変化、毎月の電力使用量変化、毎年の電力使用量変化などを同時表示あるいは切替表示してもよい。
【００４０】
図４（ｂ）は、電力モニタ画面の例である。ここでは時刻とともに、住戸の現在の電力使用量がアナログメータに似せてグラフ表示され、その値も数値表示されている。グラフ表示および数値表示は、例えば１０秒毎に表示更新するとよい。また、この画面には電力使用量に基づいて、「基準レベルをオーバーしています」などのような警告メッセージも適宜表示するとよい。基準レベルは計測装置３に予め設定しておけばよいが、電力モニタ画面から管理画面を呼び出せるようにして、そこで自由に設定させてもよい。なお、画面の下部には、コンテンツ画面に表示切替させるためのリンクなど複数のリンクが表示されている。
【００４１】
図５は、エネルギー情報画面、および電力モニタ画面の表示に関する基本的な信号伝送を時系列的に示したフロー図である。
【００４２】
このフローでは、時刻Ｔ１に住戸インターホン１１でメニューキー１１ｄの操作がなされ、住戸インターホン１１からコンテンツサーバ２０に接続要求信号が送信され、それに対する応答信号がコンテンツサーバ２０から返信されている。そして接続が確立したあと、住戸インターホン１１からコンテンツサーバ２０に画面要求信号が送信され、それに対する画面情報がコンテンツサーバ２０から住戸インターホン１１に返信されている。そして時刻Ｔ２に、その画面情報によって構成されたエネルギー情報画面が住戸インターホン１１で表示されている。
【００４３】
その後時刻Ｔ３に、エネルギー情報画面上で、電力モニタ画面に表示切替するためのリンクが操作され、住戸インターホン１１はそれを受けて接続要求信号を計測装置３に送信し、それに対する応答信号が計測装置３から返信されている。そして接続が確立したあと、住戸インターホン１１から計測装置３に画面要求信号が送信され、それに対する画面情報が計測装置３から住戸インターホン１１に返信されている。そして時刻Ｔ４に、その画面情報が電力モニタ画面として、住戸インターホン１１に表示されている。
【００４４】
図６は、住戸の電力使用量をコンテンツサーバ２０に通知する際の信号伝送を時系列的に示したフロー図である。このフローでは、時刻Ｔ５に、時刻に基づいて計測装置３からコンテンツサーバ２０に接続要求信号が送信され、それに対する応答信号がコンテンツサーバ２０から返信されている。そして接続が確立したあと、計測装置３からからコンテンツサーバ２０に電力使用量が通知されている。時刻Ｔ６にコンテンツサーバ２０は、その電力使用量をデータベース１４ｃに記憶している。
【符号の説明】
【００４５】
１           インターホンシステム
３           計測装置
３ｂ       Webサーバ
１１       住戸インターホン
１１ａ    第１の接続端子
１１ｂ  第２の接続端子
１１ｈ    Webブラウザ
１１ｉ    ゲートウェイ
１２       ロビーインターホン
１４       システム制御装置
１５       インターホン回線
１７    信号線
２０       コンテンツサーバ
２０ｂ    データベース
２１       インターネット
【図１】
0005775995.tif 000002
【図２】
0005775995.tif 000003
【図３】
0005775995.tif 000004
【図４】
0005775995.tif 000005
【図５】
0005775995.tif 000006
【図６】
0005775995.tif 000007